(57)【要約】【課題】  強大な嵌止力と良好な梃子弾性を具えた端子の結合構造によりメモリカード挿入時の抵抗消去と接触端の使用寿命の延長を達成すること。【解決手段】  前向きと後ろ向きの二つのＴ形溝構造により端子を水平に同時に前向き、後ろ向きの開口Ｔ形溝内に嵌止でき、端子後端が収納シート内に内蔵されることで係合応力変化と端子後端の脱出防止効果を達成し、端子接触端と後ろ向きＴ形開口嵌め溝間に良好な梃子弾性効果を形成し、且つメモリカードソケット内の収容空間に設けられたトレイに異なるメモリカードを載置するスロットが設けられ、並びにメモリカードソケット底部に固定座が設けられてトレイが脱落防止される。【選択図】        図１
0003109648.tif 000002
【実用新案登録請求の範囲】
【請求項１】
メモリカードソケットとそれに位置決めされる端子で構成されたメモリカード端子接合部装置において、メモリカードソケットに前向き、後ろ向きにそれぞれＴ形開口嵌め溝が形成され、後ろ向きのＴ形開口嵌め溝の後方部分は開口構造とされ、開口の幅が端子の細辺部の幅より序置き区、開口構造の後端に端子後端を収納する収納シートが設けられ、端子は前拡大部、後ろ細辺構造及び後端収納端を具え、前拡大部は前向きのＴ形開口嵌め溝内に挿入され、後ろ細辺構造は前向きの該後ろ細辺構造より大きな幅広部分を以て前向きに延伸されて、後ろ向きのＴ形開口嵌め溝内に嵌止され、端子の細辺構造がメモリカードソケットの開口部分に位置し、その後端が収納シート内に収納され、メモリカードソケット内の収容空間にトレイが設置され、該トレイに異なるメモリカードを載置するスロットが設けられ、メモリカードソケット底部に固定座が設けられて該トレイの脱落を防止することを特徴とする、メモリカードソケットと端子の接合部装置。
【考案の詳細な説明】
【技術分野】
【０００１】
本考案は一種のメモリカード端子接合部装置に係り、速やかに前向き、後ろ向きのダブルＴ形開口嵌め溝を具え、高い嵌止力と後端に設けられた保護座により、良好な梃子弾性を有する接触端を具えたメモリカード端子接合部装置に関する。
【背景技術】
【０００２】
現在周知のメモリカード及びメモリカードソケットの技術領域にあって、マイクロ化とマルチ挿入機能が主要な設計方向とされることが多く、長きにわたりメモリカードには大きな改変と関係技術の進歩はなく、挿入により接続を達成するものとされている。このため、構造上、その他の或いは多種類の長所はない。現在デジタルカメラ、ノートブック型コンピュータ、ＰＤＡ等の多元化された電子商品が次々と提供されており、これらは市場と消費者が周知の著名な商品となっている。メモリカードはこれらの商品に対して、相当に重要な役割を果たしており、メモリ能力の拡充はメモリカードのレベルにより強弱に差があり、実用性もそれにより異なっている。当然、このように精密さを標榜する電子商品に対する消費者の選択要件は、体積が極めて小さく、軽量薄型で、出し入れに便利で、耐用性があることであり、現在のメモリカード及びメモリカードソケットはこの目標に向けて努力している。
【０００３】
端子はメモリカードソケットにとって重要であり、メモリカードの寿命に関係し、一般のメモリカードソケット及びそれに組み合わされる端子の構造は、マイクロ化が端子の嵌止と位置決め効果に深い影響を与える。しかし配置される端子を一つずつ嵌止すると、嵌止位置決めと組立速度は反比例するため、良好な嵌止位置決め機能を得ようとすれば、組立の快速性を失い、人件費が高くなる。反対に速やかな組立機能を得ようとすれば、嵌止位置決め効果は理想的なものとならなくなる。このため、往々にして簡単で快速な組立機能が選択され、嵌止位置決めと耐久性に以下のような問題が発生する。
１．端子に嵌止位置決め不良により変形が発生し、端子全体が抜き取られる重要な欠点が形成される。
２．１の問題から、僅かな変形は端子後端に多く発生し、更に端子の水平整合性が不足し、メモリカードが抜き取り不能となる問題が発生する。
３．メモリカードソケットはメモリカードの抜き差しに供され、このため反復して操作されると、ソケット内端子の接触端部分が弾性応力により接触性及び安定性不良の問題を発生する。
【考案の開示】
【考案が解決しようとする課題】
【０００４】
本発明は一種のメモリカードソケットと端子の接合部装置を提供することを目的とし、それは、快速な導入機能を具えた前向き、後ろ向きのダブルＴ形開口嵌め溝と、高い嵌止力と後端に設けられた収納シートにより、端子に良好な梃子弾性機能を具備させるメモリカードソケットと端子の接合部装置であるものとする。
【課題を解決するための手段】
【０００５】
請求項１の考案は、メモリカードソケットとそれに位置決めされる端子で構成されたメモリカード端子接合部装置において、メモリカードソケットに前向き、後ろ向きにそれぞれＴ形開口嵌め溝が形成され、後ろ向きのＴ形開口嵌め溝の後方部分は開口構造とされ、開口の幅が端子の細辺部の幅より序置き区、開口構造の後端に端子後端を収納する収納シートが設けられ、端子は前拡大部、後ろ細辺構造及び後端収納端を具え、前拡大部は前向きのＴ形開口嵌め溝内に挿入され、後ろ細辺構造は前向きの該後ろ細辺構造より大きな幅広部分を以て前向きに延伸されて、後ろ向きのＴ形開口嵌め溝内に嵌止され、端子の細辺構造がメモリカードソケットの開口部分に位置し、その後端が収納シート内に収納され、メモリカードソケット内の収容空間にトレイが設置され、該トレイに異なるメモリカードを載置するスロットが設けられ、メモリカードソケット底部に固定座が設けられて該トレイの脱落を防止することを特徴とする、メモリカードソケットと端子の接合部装置としている。
【考案の効果】
【０００６】
本考案は相当に良好な嵌止と位置決め機能を達成し、メモリカードソケットの内部端子を強固に位置決めし、頻繁な反復抜き差し操作の後、最良で安定した接触機能を達成でき、内部端子の脱落或いはゆるみの不良因子を防止する。
【考案を実施するための最良の形態】
【０００７】
１．本考案は、前向き、後ろ向きのダブルＴ形開口嵌め溝により、端子を水平に前向き、後ろ向きのダブルＴ形開口嵌め溝中に嵌止できるようにし、二つの高強度の嵌止作用を発生する。これにより、完全に端子の脱落或いは水平面より強力に引き出される現象を防止し、これにより周知の技術の欠点を解決する。
２．端子の細辺導入構造を利用し、速やかに端子を有効に前向き、後ろ向きのダブルＴ形開口嵌め溝内に導入できるようにする。これにより、一回の手続きで二方向の導入を完成できる迅速及び便利な組立機能を完成する。
３．ソケット後端に設けられた収納シートにより、端子の後端を内蔵し、接触端が克服しなければならない圧着応力と係合応力を解消すると共に端子の保護措置を提供し、徹底的に端子の後部にメモリカードの反復抜き差しにより形成される微細な変形とそれにより発生しうる端子の抜き取りを防止する。
４．端子後端の収納シート前端部分の露出構造により、端子の後ろ向きのＴ形開口嵌め溝と端子後端間の位置に、最良の圧着性梃子弾性機能が形成され、これにより端子接触端が確実に接合される。
５．メモリカードソケット内の収容空間にトレイが設置され、該トレイに異なるメモリカードを載置するスロットが設けられ、並びにメモリカードソケット底部に固定座が設けられてトレイの操作時の脱落が防止される。
【０００８】
本考案の構造は、メモリカードソケットとそれに位置決めされる端子で構成され、そのうちメモリカードソケットの前端溝と後端溝はＴ形開口式の嵌め溝に設計され、端子が水平方式でこの溝内に嵌止されて、二つの嵌め止め位置決め機能が形成される。後ろ向きのＴ形開口嵌め溝に沿って開口構造が設けられ、その幅は端子の幅より僅かに大きく、端子の細辺部分が後ろ向きのＴ形開口嵌め溝を支点として良好な梃子弾性機能を具備し、端子の後端が収納シートにより内蔵され、係合と保護の二重の作用を達成する。
【０００９】
本考案の端子は配列方式で製造され、前拡大部と後ろ細辺部及び後端の収納端の三つの重要な特徴を有する。そのうち、端子の前拡大部は前向きＴ形開口嵌め溝内に挿入され、後ろ細辺部は後ろ細辺部よりやや大きな幅広部分を以て後ろから前に延伸され、端子拡大部と細辺部よりやや大きな幅広部分の二つの部分が、前向き、後ろ向きのＴ形開口嵌め溝内に挿入され、端子細辺部が前述のソケット後端の開口構造に位置し、それが挿入された後ろ向きのＴ形開口嵌め溝を支点とし、接触端が梃子弾性機能を形成し、端子後端が収納シート内に収納されて、係合定位に供されると共に端子が保護される二重の効果を形成する。
【００１０】
総合すると本考案は相当に良好な嵌止と位置決め機能を達成し、メモリカードソケットの内部端子を強固に位置決めし、頻繁な反復抜き差し操作の後、最良で安定した接触機能を達成でき、内部端子の脱落或いはゆるみの不良因子を防止する。
【実施例１】
【００１１】
図１に示されるように、本考案はメモリカードソケット１とそれに位置決めされる各端子２で組成される。そのうち、メモリカードソケット１は、前向き、後ろ向きにそれぞれＴ形開口嵌め溝１１、１２を具え、図２、４に示されるように、これらＴ形開口嵌め溝１１、１２は端子２の拡大部２１と細辺構造２２前端の挿嵌位置決めに供され、全体の端子２を水平方式で嵌止させ、これにより前向き及び後ろ向きに端子を嵌止する機能を形成する。
【００１２】
メモリカードソケット１の後ろ向きのＴ形開口嵌め溝１２は、後ろ向きに延伸された距離にに開口構造１３態様を呈し、並びにこの開口構造の後端に、逆Ｕ形状の収納シート１４が設けられて端子後端の嵌止に供されて係合と保護の二重作用を形成し、これは図５、６に示されるとおりである。
【００１３】
図４に示されるように、本考案の端子２は配列方式で形成され、前拡大部２１と後ろ細辺構造２２及び後端収納端２３の三つの特有形態を具えている。そのうち、前拡大部２１は前向きＴ形開口嵌め溝１１に挿入され、後ろ細辺構造２２は前方の後ろ細辺構造２２よりやや大きな幅広部分を以て、後ろから前に延伸され、端子の前拡大部２１と後ろ細辺構造２２より大きな幅広部分の二つの部分が、同時の前向き、後ろ向きのダブルＴ形開口嵌め溝内に嵌止される。端子の後ろ細辺構造２２はメモリカードソケット後端の開口構造１３を通して、それが嵌止された後ろ向きのＴ形開口嵌め溝１２を嵌止支点とし、この部分の端子が折り曲げられて形成された接触端２４がから嵌め溝嵌止部分までの距離にあって、高度の梃子弾性機能を形成し、更に端子３後端が収納シート１４内に収納されて端子の後部の係合位置決めと保護の二重機能が達成される。これは図６に示されるとおりである。
【００１４】
図７に示されるように、メモリカードソケット１内にはトレイ３が設けられ、該トレイ３は異なるメモリカードを載置するスロットを具え、並びにメモリカードソケットの底部に固定座４２が設けられてトレイの脱落が防止される。
【００１５】
本考案のメモリカードソケット１と端子２の組合せ後、強大な嵌止力と良好な梃子弾性を具えた端子の結合目的が獲得され、メモリカード挿入時の抵抗が消去され接触端の使用寿命が延長される。
【００１６】
総合すると本考案は予期された効果を達成し、簡単な構造で進歩性と新規性の要件を達成する。
【図面の簡単な説明】
【００１７】
【図１】本考案の実施例の外観図である。
【図２】本考案の前向きＴ形開口嵌め溝の立体拡大図である。
【図３】本考案の端子の平面図である。
【図４】本考案の後ろ向きＴ形開口嵌め溝の立体拡大図である。
【図５】本考案の端子後端が収納シートに収納された立体図である。
【図６】本考案のメモリカードソケットの収納シートと開口構造及び端子の組合せの断面図である。
【図７】本考案のメモリカードソケットとトレイの分解図である。
【図８】本考案のメモリカードソケットとトレイの結合立体図である。
【符号の説明】
【００１８】
１  メモリカードソケット
１１  Ｔ形開口嵌め溝
１２  Ｔ形開口嵌め溝
１３  開口構造
１４  収納シート
２  端子
２１  拡大部
２２  細辺構造
２３  後端収納端
２４  接触端
３  トレイ
４２  固定座
【図１】
0003109648.tif 000003
【図２】
0003109648.tif 000004
【図３】
0003109648.tif 000005
【図４】
0003109648.tif 000006
【図５】
0003109648.tif 000007
【図６】
0003109648.tif 000008
【図７】
0003109648.tif 000009
【図８】
0003109648.tif 000010